(57)【要約】【課題】接続先に接続される固定電話機をユーザに知らせることが可能な構内電話交換機を提供する。【解決手段】このゲートウェイ機器１（構内電話交換機）は、携帯電話機２ａから接続先４に関する接続先電話番号２２４ａを取得することが可能な赤外線通信部１３と、接続先電話番号２２４ａに基づいて、携帯電話機２ａに対応する固定電話機３ａと接続先４との間で電話通信を行うことが可能なアナログ通信部１１およびＩＰ通信部１２と、接続先電話番号２２４ａに基づいて接続先４へ発信させるとともに、接続先電話番号２２４ａを取得した携帯電話機２ａに対応する固定電話機３ａを鳴動させる制御を行うＣＰＵ１６とを備える。【選択図】図１
2012120000.tif 000002
【特許請求の範囲】
【請求項１】
携帯端末から接続先に関する接続先特定情報を取得することが可能な第１通信部と、
前記接続先特定情報に基づいて、前記携帯端末に対応する固定電話機と前記接続先との間で電話通信を行うことが可能な第２通信部と、
前記接続先特定情報に基づいて前記接続先へ発信させるとともに、前記接続先特定情報を取得した前記携帯端末に対応する前記固定電話機を鳴動させる制御を行う制御部とを備える、構内電話交換機。
【請求項２】
複数の前記携帯端末の各々と、前記複数の携帯端末の各々に対応する前記固定電話機との対応関係を記憶した記憶部をさらに備え、
前記制御部は、前記記憶部に記憶された前記携帯端末と前記固定電話機との対応関係に基づいて、前記接続先特定情報を取得した前記携帯端末に対応する前記固定電話機を鳴動させるように構成されている、請求項１に記載の構内電話交換機。
【請求項３】
前記第２通信部は、前記携帯端末と前記接続先とに同時に接続することが可能なように構成されており、
前記制御部は、ユーザが前記固定電話機の鳴動に対して前記固定電話機で電話通信を行わない場合には、前記固定電話機と前記接続先との間での電話通信に代えて、前記固定電話機に対応する前記携帯端末と前記接続先とを前記第２通信部を介して接続することによって、前記携帯端末と前記接続先との間で電話通信を行わせるように構成されている、請求項１または２に記載の構内電話交換機。
【請求項４】
前記制御部は、前記固定電話機に対応する前記携帯端末と前記接続先とを前記第２通信部を介して接続する前に、前記第２通信部を介して、待機する旨の通知を前記接続先に対して送信するように構成されている、請求項３に記載の構内電話交換機。
【請求項５】
前記制御部は、前記接続先との接続が確立しない場合には、前記固定電話機を鳴動させずに、前記第１通信部を介して、前記接続先との接続が確立しない旨の通知を前記携帯端末に対して送信するように構成されている、請求項１〜４のいずれか１項に記載の構内電話交換機。
【請求項６】
接続先の接続先特定情報を送信可能な携帯端末と、
複数の固定電話機と、
前記携帯端末から送信された前記接続先特定情報を取得することが可能な第１通信部と、前記接続先特定情報に基づいて、前記携帯端末に対応する前記固定電話機と前記接続先との間で電話通信を行うことが可能な第２通信部と、前記接続先特定情報に基づいて前記接続先へ発信させるとともに、前記接続先特定情報を取得した前記携帯端末に対応する前記固定電話機を鳴動させる制御を行うように構成されている制御部とを含む構内電話交換機とを備える、電話システム。
【発明の詳細な説明】
【技術分野】
【０００１】
この発明は、構内電話交換機および電話システムに関し、特に、携帯端末から接続先特定情報を取得することが可能な構内電話交換機および電話システムに関する。
【背景技術】
【０００２】
従来、携帯端末から接続先特定情報を取得することが可能な電話システムが知られている（たとえば、特許文献１参照）。
【０００３】
上記特許文献１には、メモリに登録されている電話番号を赤外線により送信可能な携帯電話機と、携帯電話機から受信した電話番号を自動的に送信するボタン電話機（固定電話機）と、ボタン電話機から受信した電話番号を外線に発信する主装置とを備えるシステムが開示されている。なお、上記特許文献１には、主装置から電話番号を外線に発信した後の処理は記載されていない。
【先行技術文献】
【特許文献】
【０００４】
【特許文献１】特開２００４−３２０１１０号公報
【発明の概要】
【発明が解決しようとする課題】
【０００５】
しかしながら、上記特許文献１のシステムでは、主装置から電話番号を外線に発信した後の処理は記載されていないため、複数のボタン電話機が存在する場合には、複数のボタン電話機のうちのどのボタン電話機が、携帯電話機から送信された電話番号の相手先と接続されるのかをユーザに知らせることができないという問題点があると考えられる。
【０００６】
この発明は、上記のような課題を解決するためになされたものであり、この発明の１つの目的は、接続先に接続される固定電話機をユーザに知らせることが可能な構内電話交換機および電話システムを提供することである。
【課題を解決するための手段および発明の効果】
【０００７】
この発明の第１の局面による構内電話交換機は、携帯端末から接続先に関する接続先特定情報を取得することが可能な第１通信部と、接続先特定情報に基づいて、携帯端末に対応する固定電話機と接続先との間で電話通信を行うことが可能な第２通信部と、接続先特定情報に基づいて接続先へ発信させるとともに、接続先特定情報を取得した携帯端末に対応する固定電話機を鳴動させる制御を行う制御部とを備える。
【０００８】
この発明の第１の局面による構内電話交換機では、上記のように、携帯端末から接続先に関する接続先特定情報を取得することが可能な第１通信部と、接続先特定情報に基づいて接続先へ発信させるとともに、接続先特定情報を取得した携帯端末に対応する固定電話機を鳴動させる制御を行う制御部とを設けることによって、接続先特定情報を取得した携帯端末に対応する固定電話機を鳴動させることにより、接続先特定情報に基づく接続先に接続される固定電話機をユーザに知らせることができる。
【０００９】
上記第１の局面による構内電話交換機において、好ましくは、複数の携帯端末の各々と、複数の携帯端末の各々に対応する固定電話機との対応関係を記憶した記憶部をさらに備え、制御部は、記憶部に記憶された携帯端末と固定電話機との対応関係に基づいて、接続先特定情報を取得した携帯端末に対応する固定電話機を鳴動させるように構成されている。このように構成すれば、制御部は、接続先特定情報を取得した携帯端末に対応する固定電話機を、記憶部に予め記憶されている対応関係に基づいて認識することができるので、より確実に、接続先特定情報を取得した携帯端末に対応する固定電話機を鳴動させることができる。
【００１０】
上記第１の局面による構内電話交換機において、好ましくは、第２通信部は、携帯端末と接続先とに同時に接続することが可能なように構成されており、制御部は、ユーザが固定電話機の鳴動に対して固定電話機で電話通信を行わない場合には、固定電話機と接続先との間での電話通信に代えて、固定電話機に対応する携帯端末と接続先とを第２通信部を介して接続することによって、携帯端末と接続先との間で電話通信を行わせるように構成されている。このように構成すれば、ユーザが固定電話機の鳴動に対して固定電話機で電話通信を行わない場合においても、接続先特定情報を取得した携帯端末と接続先とを第２通信部を介して接続することによって、より確実に、携帯端末から接続先特定情報を送信したユーザに接続先との電話通信を行わせることができる。
【００１１】
この場合、好ましくは、制御部は、固定電話機に対応する携帯端末と接続先とを第２通信部を介して接続する前に、第２通信部を介して、待機する旨の通知を接続先に対して送信するように構成されている。このように構成すれば、第２通信部を介して携帯端末と接続するために要する時間（待ち時間）が経過する前に予め接続先に待機する旨を通知しておくことができるので、待ち時間中に、構内電話交換機との接続が途切れたと接続先が誤って認識するのを抑制することができる。
【００１２】
上記第１の局面による構内電話交換機において、好ましくは、制御部は、接続先との接続が確立しない場合には、固定電話機を鳴動させずに、第１通信部を介して、接続先との接続が確立しない旨の通知を携帯端末に対して送信するように構成されている。このように構成すれば、接続先との接続が確立しない状態を容易にユーザに認識させることができる。
【００１３】
この発明の第２の局面による電話システムは、接続先の接続先特定情報を送信可能な携帯端末と、複数の固定電話機と、携帯端末から送信された接続先特定情報を取得することが可能な第１通信部と、接続先特定情報に基づいて、携帯端末に対応する固定電話機と接続先との間で電話通信を行うことが可能な第２通信部と、接続先特定情報に基づいて接続先へ発信させるとともに、接続先特定情報を取得した携帯端末に対応する固定電話機を鳴動させる制御を行うように構成されている制御部とを含む構内電話交換機とを備える。
【００１４】
この発明の第２の局面による電話システムでは、上記のように、構内電話交換機に、携帯端末から接続先に関する接続先特定情報を取得することが可能な第１通信部と、接続先特定情報に基づいて接続先へ発信させるとともに、接続先特定情報を取得した携帯端末に対応する固定電話機を鳴動させる制御を行う制御部とを設けることによって、接続先特定情報を取得した携帯端末に対応する固定電話機を鳴動させることにより、接続先特定情報に基づく接続先に接続される固定電話機をユーザに知らせることができる。
【図面の簡単な説明】
【００１５】
【図１】本発明の一実施形態による電話システムの全体構成を示したブロック図である。
【図２】本発明の一実施形態による携帯電話機−固定電話機対応表を示した図である。
【図３】本発明の一実施形態による携帯電話機での接続先との接続における処理を示したフローチャートである。
【図４】本発明の一実施形態によるゲートウェイ機器での接続先との接続における処理を示したフローチャートである。
【図５】本発明の一実施形態による固定電話機での接続先との接続における処理を示したフローチャートである。
【発明を実施するための形態】
【００１６】
以下、本発明の実施形態を図面に基づいて説明する。
【００１７】
まず、図１および図２を参照して、本発明の一実施形態による電話システム１００の構成について説明する。
【００１８】
本発明の一実施形態による電話システム１００は、図１に示すように、ゲートウェイ（Ｇａｔｅ  Ｗａｙ）機器１と、４つの携帯電話機２ａ、２ｂ、２ｃおよび２ｄと、４つの固定電話機３ａ、３ｂ、３ｃおよび３ｄとを備えている。ゲートウェイ機器１は、外部の接続先４および携帯電話機２ａ〜２ｄのいずれかと、４つの固定電話機３ａ〜３ｄのいずれかとの間の中継を行う機能を有している。なお、ゲートウェイ機器１は、本発明の「構内電話交換機」の一例であり、携帯電話機２ａ、２ｂ、２ｃおよび２ｄは、本発明の「携帯端末」の一例である。
【００１９】
携帯電話機２ａ、２ｂ、２ｃおよび２ｄには、各々に固有の電話番号が割り当てられている。また、固定電話機３ａ、３ｂ、３ｃおよび３ｄには、各々に固有の内線番号が割り当てられている。
【００２０】
携帯電話機２ａは、図１に示すように、携帯電話機での通話時などに使用される通信部２１ａと、通話時以外のデータ通信に使用される赤外線通信部２２ａと、鳴動部２３ａと、ＲＯＭ２４ａと、ＲＡＭ２５ａと、ＣＰＵ２６ａとを備えている。
【００２１】
通信部２１ａは、携帯電話網５への接続が可能であり、これにより、１回線の電話通信が可能に構成されている。この結果、携帯電話機２ａは、携帯電話網５を介して、外線電話網６およびＩＰ網７に接続されたゲートウェイ機器１と電話通信可能なように構成されている。赤外線通信部２２ａは、ゲートウェイ機器１の後述する赤外線通信部１３との無線通信が可能なように構成されている。鳴動部２３ａは、通信部２１ａにより着信を受けた場合に、ＣＰＵ２６ａの制御に基づいて着信音を発したり振動を発する（鳴動する）ように構成されている。これにより、ＣＰＵ２６ａは、携帯電話機２ａを操作するユーザに着信が存在する旨を知らせるように構成されている。
【００２２】
ＲＯＭ２４ａは、書き換え可能な不揮発性メモリであり、携帯電話機２ａを制御するためプログラムなどが記憶されている。また、ＲＯＭ２４ａには、アドレス帳１２４ａが格納されている。アドレス帳１２４ａには、複数の接続先４の各々に対応する接続先電話番号２２４ａが複数記憶されている。また、ユーザの操作によって、アドレス帳１２４ａから複数の接続先電話番号２２４ａのうちのいずれか１つが選択されることにより、ＣＰＵ２６ａは、選択された接続先電話番号２２４ａと、携帯電話機２ａが有する電話番号「ａａａ−ａａａａ−ａａａａ」とを赤外線通信部２２ａを介してゲートウェイ機器１に送信するように構成されている。なお、接続先電話番号２２４ａは、本発明の「接続先特定情報」の一例である。
【００２３】
ＲＡＭ２５ａは、揮発性メモリであり、ＣＰＵ２６ａの作業領域として使用される。ＣＰＵ２６ａは、ＲＯＭ２４ａに記憶されたプログラムを実行することにより携帯電話機２ａの各部の動作を制御するように構成されている。
【００２４】
なお、携帯電話機２ｂ、２ｃおよび２ｄについては、携帯電話機２ａと同様の構造を有しているので、その説明を省略する。
【００２５】
固定電話機３ａは、図１に示すように、アナログ回線接続を行うための通信部３１ａと、鳴動部３２ａと、ＣＰＵ３３ａとを備えている。通信部３１ａは、ゲートウェイ機器１の後述するアナログ通信部１１に接続されており、ゲートウェイ機器１との間で内線用回線を介して電話通信が可能に構成されている。鳴動部３２ａは、通信部３１ａにより着信を受けた場合に、ＣＰＵ３３ａの制御に基づいて着信音を発する（鳴動する）ように構成されている。これにより、ＣＰＵ３３ａは、ユーザに固定電話機３ａに着信が存在する旨を知らせるように構成されている。また、ＣＰＵ３３ａは、図示しないプログラムを実行することにより固定電話機３ａの各部の動作を制御するように構成されている。
【００２６】
なお、固定電話機３ｂ、３ｃおよび３ｄについては、固定電話機３ａと同様の構造を有しているので、その説明を省略する。
【００２７】
ゲートウェイ機器１は、図１に示すように、アナログ回線接続を行うためのアナログ通信部１１と、ＩＰ（Ｉｎｔｅｒｎｅｔ  Ｐｒｏｔｏｃｏｌ）ネットワークへの回線接続を行うためのＩＰ通信部１２と、赤外線通信部１３とを備えている。また、ゲートウェイ機器１は、ＲＯＭ１４と、ＲＡＭ１５と、ＣＰＵ１６とを備えている。
【００２８】
アナログ通信部１１は、複数の外線用回線によって外線電話網６に接続されており、各々の外線用回線を用いて複数の電話通信を同時に行うことが可能に構成されている。ＩＰ通信部１２は、ＩＰ網７に接続されており、複数の電話通信を同時に行うことが可能に構成されている。これにより、アナログ通信部１１またはＩＰ通信部１２を用いてゲートウェイ機器１と接続先４とを接続するのと同時に、アナログ通信部１１またはＩＰ通信部１２を用いてゲートウェイ機器１と携帯電話機２ａ（２ｂ〜２ｄ）とを接続することによって、アナログ通信部１１またはＩＰ通信部１２を介して、接続先４と携帯電話機２ａ（２ｂ〜２ｄ）とを接続することが可能に構成されている。なお、アナログ通信部１１およびＩＰ通信部１２は、本発明の「第２通信部」の一例である。
【００２９】
また、アナログ通信部１１は、複数の内線用回線によって４つの固定電話機３ａ〜３ｄに接続されており、外線用回線またはＩＰ通信部１２と、内線用回線とを接続することによって、固定電話機３ａ〜３ｄと、接続先４または携帯電話機２ａ〜２ｄとの間で電話通信することが可能に構成されている。また、ＩＰ通信部１２には、ＬＡＮ（Ｌｏｃａｌ  Ａｒｅａ  Ｎｅｔｗｏｒｋ）８が接続されており、ＬＡＮ８上の端末装置（図示せず）同士を通信可能に接続する機能を有している。
【００３０】
赤外線通信部１３は、携帯電話機２ａ（２ｂ〜２ｄ）との無線通信が可能なように構成されており、携帯電話機２ａ（２ｂ〜２ｄ）においてユーザによって選択された接続先電話番号２２４ａと、携帯電話機２ａ（２ｂ〜２ｄ）が有する電話番号とを受信可能なように構成されている。なお、赤外線通信部１３は、本発明の「第１通信部」の一例である。
【００３１】
ＲＯＭ１４には、ゲートウェイ機器１を制御するためプログラムや、ゲートウェイ機器１の各種の設定情報などに加えて、図２に示すような携帯電話機−固定電話機対応表１６ａが記憶されている。携帯電話機−固定電話機対応表１６ａには、携帯電話機２ａ、２ｂ、２ｃおよび２ｄの電話番号の各々と、携帯電話機２ａ、２ｂ、２ｃおよび２ｄの各々に対応する固定電話機３ａ、３ｂ、３ｃおよび３ｄの内線番号との対応関係がリスト形式で記憶されている。なお、ＲＯＭ１４は、本発明の「記憶部」の一例である。
【００３２】
具体的には、電話番号「ａａａ−ａａａａ−ａａａａ」を有する携帯電話機２ａが、内線番号「ＡＡＡ」を有する固定電話機３ａと対応づけられている。また、電話番号「ｂｂｂ−ｂｂｂｂ−ｂｂｂｂ」を有する携帯電話機２ｂが、内線番号「ＢＢＢ」を有する固定電話機３ｂと対応づけられている。また、電話番号「ｃｃｃ−ｃｃｃｃ−ｃｃｃｃ」を有する携帯電話機２ｃが、内線番号「ＣＣＣ」を有する固定電話機３ｃと対応づけられている。また、電話番号「ｄｄｄ−ｄｄｄｄ−ｄｄｄｄ」を有する携帯電話機２ｄが、内線番号「ＤＤＤ」を有する固定電話機３ｄと対応づけられている。
【００３３】
図１に示すように、ＲＡＭ１５は、揮発性メモリであり、ＣＰＵ１６の作業領域として使用される。ＣＰＵ１６は、ＲＯＭ１４に記憶されたプログラムを実行することによりゲートウェイ機器１の各部の動作を制御するように構成されている。なお、ＣＰＵ１６は、本発明の「制御部」の一例である。
【００３４】
ここで、本実施形態では、ＣＰＵ１６は、携帯電話機２ａから受信した接続先電話番号２２４ａを、アナログ通信部１１またはＩＰ通信部１２を介して外部の電話局交換機（図示せず）などに発信することによって、接続先電話番号２２４ａによって特定される接続先４との接続を試みるように構成されている。この際、ＣＰＵ１６は、外線電話網６またはＩＰ網７のうち、すでに他の通話などにより占有されておらず電話通信が可能な電話網であり、かつ、通話料金の安い電話網を選択して、選択した電話網に対応するアナログ通信部１１またはＩＰ通信部１２を用いて発信するように構成されている。
【００３５】
また、ＣＰＵ１６は、接続先４と接続が確立した際には、接続先４と接続を維持した状態で、ＲＯＭ１４に記憶された携帯電話機−固定電話機対応表１６ａを参照して、携帯電話機２ａに対応する固定電話機３ａを抽出するとともに、抽出した固定電話機３ａの内線番号「ＡＡＡ」に発信するように構成されている。これにより、固定電話機３ａが通話中である場合を除き、固定電話機３ａにおいて、鳴動部３２ａが鳴動されるように構成されている。そして、固定電話機３ａにおいて、所定の時間内に図示しない受話器を取り上げられるなどの通話開始操作が行われて回線が接続（オフフック）されたことを検出した場合には、ＣＰＵ１６は、固定電話機３ａと接続先４とを外部の電話局交換機に接続させて、固定電話機３ａと接続先４との間で電話通信を行わせるように構成されている。
【００３６】
また、本実施形態では、固定電話機３ａが通話中の場合、または、固定電話機３ａがオフフックされずに、鳴動部３２ａが所定の時間以上鳴動している場合（固定電話機３ａとの接続を確立できない場合）には、ＣＰＵ１６は、アナログ通信部１１またはＩＰ通信部１２を介して「今接続しておりますので、少々お待ちください」という待機を促す通知（待機通知）を、接続が確立している接続先４に対して送信するように構成されている。これにより、接続先４において、音声や画像などにより待機を促す旨が出力されるように構成されている。
【００３７】
そして、ＣＰＵ１６は、待機通知を送信した後に、アナログ通信部１１またはＩＰ通信部１２を用いて、携帯電話機２ａが有する電話番号「ａａａ−ａａａａ−ａａａａ」を、外部の携帯電話基地局（図示せず）などに発信することによって、携帯電話機２ａとの接続を試みるように構成されている。これにより、接続先電話番号２２４ａを送信した携帯電話機２ａの鳴動部２３ａが鳴動されるように構成されている。その後、携帯電話機２ａにおいて、図示しない所定のボタンが押下されたなどの通話開始操作が行われて回線が接続（オフフック）されたことを検出した場合には、ＣＰＵ１６は、携帯電話機２ａと接続先４とをアナログ通信部１１およびＩＰ通信部１２を介して接続することによって、携帯電話機２ａと接続先４との間で電話通信を行わせるように構成されている。
【００３８】
また、接続先４が通話中の場合（接続先４との接続を確立できない場合）には、ＣＰＵ１６は、赤外線通信部１３を介して「接続先は、ただ今通話中です」という通話中である旨の通知（通話中通知）を、携帯電話機２ａに対して送信するように構成されている。これにより、携帯電話機２ａにおいて、音声や画像などにより通話中である旨が出力されるように構成されている。なお、ＣＰＵ１６は、外部の電話局交換機（図示せず）から発信されたビジートーンを検出することによって、接続先４が通話中であることを認識するように構成されている。また、ＣＰＵ１６は、携帯電話機２ａに対して通話中通知を行った場合には、携帯電話機２ａに対応する固定電話機３ａに発信しないように構成されている。すなわち、携帯電話機２ａに対して通話中通知が行われた際には、固定電話機３ａにおいて鳴動部３２ａが鳴動されないように構成されている。
【００３９】
なお、ゲートウェイ機器１のＣＰＵ１６は、携帯電話機２ｂ、２ｃおよび２ｄに対しても、携帯電話機２ａと同様の制御を行うように構成されている。また、ＣＰＵ１６は、固定電話機３ｂ、３ｃおよび３ｄに対しても、固定電話機３ａと同様の制御を行うように構成されている。
【００４０】
次に、図１〜図５を参照して、本発明の一実施形態による電話システム１００の接続先４への接続における携帯電話機２ａのＣＰＵ２６ａ、ゲートウェイ機器１のＣＰＵ１６および固定電話機３ａのＣＰＵ３３ａでの各々の処理について説明する。
【００４１】
まず、携帯電話機２ａの処理として、図３に示すように、ステップＳ１において、ＣＰＵ２６ａ（図１参照）により、アドレス帳１２４ａ（図１参照）から複数の接続先電話番号２２４ａのうちのいずれか１つが選択されたか否かが判断される。そして、ステップＳ１において、複数の接続先電話番号２２４ａのうちのいずれか１つが選択されたと判断されるまで、この判断が繰り返される。また、ステップＳ１において、複数の接続先電話番号２２４ａのうちのいずれか１つが選択されたと判断された場合には、ステップＳ２において、ＣＰＵ２６ａにより、選択された接続先電話番号２２４ａと、携帯電話機２ａが有する電話番号「ａａａ−ａａａａ−ａａａａ」とが赤外線通信部２２ａ（図１参照）を介してゲートウェイ機器１に送信される。なお、本実施形態では、接続先４に対応する接続先電話番号２２４ａが選択された場合を示す。
【００４２】
ここで、ゲートウェイ機器１の処理として、図４に示すように、ステップＳ１１において、ＣＰＵ１６（図１参照）により、接続先電話番号２２４ａと、接続先電話番号２２４ａを送信した携帯電話機２ａの電話番号とを受信したか否かが判断される。そして、ステップＳ１１において、接続先電話番号２２４ａと携帯電話機２ａの電話番号とを受信したと判断されるまで、この判断が繰り返される。また、ステップＳ１１において、接続先電話番号２２４ａと携帯電話機２ａの電話番号とを受信したと判断された場合には、ステップＳ１２において、ＣＰＵ１６により、接続先電話番号２２４ａを、アナログ通信部１１またはＩＰ通信部１２（図１参照）を介して外部の電話局交換機（図示せず）などに発信することによって、接続先電話番号２２４ａによって特定される接続先４との接続が試みられる。
【００４３】
そして、ステップＳ１３において、ＣＰＵ１６により、接続先４側で図示しない受話器を取り上げられて回線が接続（オフフック）されたことが検出されたか否かが判断される。ステップＳ１３において、接続先４のオフフックが検出されていないと判断された場合には、ステップＳ１４において、ＣＰＵ１６により、接続先４が通話中であることを示すビジートーンが検出されたか否かが判断される。ステップＳ１４において、ビジートーンが検出されていないと判断された場合には、ステップＳ１３に戻り、再度、接続先４のオフフックが検出されたか否かが判断される。また、ステップＳ１４において、ビジートーンが検出されたと判断された場合には、ステップＳ１５において、ＣＰＵ１６により、接続先４と接続を確立できないと判断されて「接続先は、ただ今通話中です」という通話中である旨の通知（通話中通知）が携帯電話機２ａに対して送信される。
【００４４】
ここで、携帯電話機２ａの処理として、図３に示すように、ステップＳ３において、ＣＰＵ２６ａにより、通話中通知が受信されたか否かが判断される。ステップＳ３において、通話中通知が受信されたと判断された場合には、ステップＳ４において、ＣＰＵ２６ａにより、音声や画像などにより通話中である旨が出力される。これにより、携帯電話機２ａのＣＰＵ２６ａの処理が終了される。また、ステップＳ３において、通話中通知が受信されていないと判断された場合には、後述するステップＳ５に進む。
【００４５】
また、ゲートウェイ機器１の処理として、図４に示すように、ステップＳ１３において、接続先４のオフフックが検出されたと判断された場合には、接続先４とゲートウェイ機器１との接続が確立した状態となる。そして、ステップＳ１６において、ＣＰＵ１６により、携帯電話機−固定電話機対応表１６ａ（図２参照）が参照されて、電話番号「ａａａ−ａａａａ−ａａａａ」を有する携帯電話機２ａに対応する固定電話機３ａが抽出される。そして、ステップＳ１７において、ＣＰＵ１６により、アナログ通信部１１（図１参照）から内線用回線を介して固定電話機３ａの内線番号「ＡＡＡ」に発信される。そして、後述するステップＳ１８に進む。
【００４６】
ここで、固定電話機３ａの処理として、図５に示すように、ステップＳ３１において、ＣＰＵ３３ａ（図１参照）により、通信部３１ａ（図１参照）により着信を受けたか否かが判断される。そして、ステップＳ３１において、着信を受けたと判断されるまで、この判断が繰り返される。また、ステップＳ３１において、着信を受けたと判断された場合には、ステップＳ３２において、ＣＰＵ３３ａにより、他の接続先や他の固定電話機４ｂ〜４ｄとすでに通話中であるか否かが判断される。ステップＳ３２において、通話中であると判断された場合には、ステップＳ３３において、ＣＰＵ３３ａにより、ビジートーンがゲートウェイ機器１に向けて発信される。これにより、固定電話機３ａが通話中であることがゲートウェイ機器１に伝達される。そして、固定電話機３ａのＣＰＵ３３ａの処理が終了される。また、ステップＳ３２において、通話中でないと判断された場合には、ステップＳ３４において、ＣＰＵ３３ａにより、鳴動部３２ａが鳴動される。
【００４７】
そして、ステップＳ３５において、ＣＰＵ３３ａにより、通話開始操作を受け付けたか否かが判断される。そして、ステップＳ３５において、通話開始操作を受け付けたと判断されるまで、この判断が繰り返される。また、ステップＳ３５において、通話開始操作を受け付けたと判断された場合には、ステップＳ３６において、ＣＰＵ３３ａにより、ゲートウェイ機器１と回線が接続（オフフック）されるとともに、オフフックされたことがゲートウェイ機器１に伝達される。これにより、接続先４とゲートウェイ機器１との接続と、固定電話機３ａとゲートウェイ機器１との接続との両方が確立した状態になる。そして、固定電話機３ａのＣＰＵ３３ａの処理が終了される。
【００４８】
また、ゲートウェイ機器１の処理として、図４に示すように、ステップＳ１８において、ＣＰＵ１６により、固定電話機３ａから発信されたビジートーン（図５のステップＳ３３参照）が検出されたか否かが判断される。ステップＳ１８において、ビジートーンが検出されていないと判断された場合には、ステップＳ１９において、ＣＰＵ１６により、所定時間内に固定電話機３ａのオフフックが検出されたか否かが判断される。ステップＳ１９において、所定時間内に固定電話機３ａのオフフックが検出されたと判断された場合には、ステップＳ２０において、ＣＰＵ１６により、接続先４と固定電話機３ａとが外部の電話局交換機によって接続されて、接続先４と固定電話機３ａとの間で電話通信が行われる。そして、ゲートウェイ機器１のＣＰＵ１６の処理が終了される。
【００４９】
また、ステップＳ１８において、ビジートーンが検出されたと判断された場合、および、ステップＳ１９において、所定時間内に固定電話機３ａのオフフックが検出されていないと判断された場合には、ステップＳ２１において、ＣＰＵ１６により、固定電話機３ａとの接続を確立できないと判断されて「今接続しておりますので、少々お待ちください」という待機を促す通知（待機通知）が、接続が確立されている接続先４に対して送信される。そして、ステップＳ２２において、ＣＰＵ１６により、接続を確立できない固定電話機３ａに対応する携帯電話機２ａ（接続先電話番号２２４ａを送信した携帯電話機２ａ）の電話番号「ａａａ−ａａａａ−ａａａａ」を、アナログ通信部１１またはＩＰ通信部１２を介して外部の携帯電話基地局（図示せず）などに発信することによって、携帯電話機２ａとの接続が行われる。
【００５０】
ここで、携帯電話機２ａの処理として、図３に示すように、ステップＳ５において、ＣＰＵ２６ａにより、通信部２１ａにより着信を受けたか否かが判断される。ステップＳ５において、着信を受けていないと判断された場合には、携帯電話機２ａのＣＰＵ２６ａの処理が終了される。また、ステップＳ５において、着信を受けたと判断された場合には、ステップＳ６において、ＣＰＵ２６ａにより、鳴動部２３ａが鳴動される。
【００５１】
そして、ステップＳ７において、ＣＰＵ２６ａにより、通話開始操作を受け付けたか否かが判断される。そして、ステップＳ７において、通話開始操作を受け付けたと判断されるまで、この判断が繰り返される。また、ステップＳ７において、通話開始操作を受け付けたと判断された場合には、ステップＳ８において、ＣＰＵ２６ａにより、ゲートウェイ機器１と回線が接続（オフフック）されるとともに、オフフックされたことがゲートウェイ機器１に伝達される。これにより、接続先４とゲートウェイ機器１との接続と、携帯電話機２ａとゲートウェイ機器１との接続との両方が確立した状態になる。そして、携帯電話機２ａのＣＰＵ２６ａの処理が終了される。
【００５２】
また、ゲートウェイ機器１の処理として、図４に示すように、ステップＳ２３において、ＣＰＵ１６により、携帯電話機２ａのオフフックが検出されたか否かが判断される。そして、ステップＳ２３において、携帯電話機２ａのオフフックが検出されたと判断されるまで、この判断が繰り返される。ステップＳ２３において、携帯電話機２ａのオフフックが検出されたと判断された場合には、ステップＳ２４において、ＣＰＵ１６により、携帯電話機２ａと固定電話機３ａとが接続されて、携帯電話機２ａと固定電話機３ａとの間で電話通信が行われる。そして、ゲートウェイ機器１のＣＰＵ１６の処理が終了される。
【００５３】
本実施形態では、上記のように、接続先電話番号２２４ａと携帯電話機２ａが有する電話番号とを携帯電話機２ａの赤外線通信部２２ａから受信可能な赤外線通信部１３と、接続先電話番号２２４ａに発信することにより、接続先電話番号２２４ａによって特定される接続先４と接続するとともに、ＲＯＭ１４に記憶された携帯電話機−固定電話機対応表１６ａを参照して、携帯電話機２ａに対応する固定電話機３ａの内線番号「ＡＡＡ」に発信することにより、固定電話機３ａの鳴動部３２ａを鳴動させるように制御するＣＰＵ１６とをゲートウェイ機器１に設けることによって、接続先電話番号２２４ａを取得した携帯電話機２ａに対応する固定電話機３ａを鳴動させることにより、接続先電話番号２２４ａに基づく接続先４に接続される固定電話機３ａをユーザに知らせることができる。また、ＣＰＵ１６は、接続先電話番号２２４ａを取得した携帯電話機２ａに対応する固定電話機３ａを、ＲＯＭ１４に予め記憶されている対応関係に基づいて認識することができるので、より確実に、接続先電話番号２２４ａを取得した携帯電話機２ａに対応する固定電話機３ａを鳴動させることができる。
【００５４】
また、本実施形態では、固定電話機３ａとの接続を確立できない場合に、ＣＰＵ１６を、携帯電話機２ａが有する電話番号「ａａａ−ａａａａ−ａａａａ」を、外部の携帯電話基地局などに発信して携帯電話機２ａに接続することにより、携帯電話機２ａと接続先４との間で電話通信を行わせるように構成すれば、ユーザが固定電話機３ａの鳴動に対して固定電話機３ａで電話通信を行わない場合においても、接続先電話番号２２４ａを取得した携帯電話機２ａと接続先４とをアナログ通信部１１またはＩＰ通信部１２を介して接続することによって、より確実に、携帯電話機２ａから接続先電話番号２２４ａを送信したユーザに接続先４との電話通信を行わせることができる。
【００５５】
また、本実施形態では、固定電話機３ａとの接続を確立できない場合に、ＣＰＵ１６を、携帯電話機２ａに接続する前に、アナログ通信部１１またはＩＰ通信部１２を介して「今接続しておりますので、少々お待ちください」という待機を促す通知を接続が確立している接続先４に対して送信するように構成すれば、アナログ通信部１１またはＩＰ通信部１２を介して携帯電話機２ａと接続するために要する時間（待ち時間）が経過する前に予め接続先４に待機を促す旨を通知しておくことができるので、待ち時間中に、ゲートウェイ機器１との接続が途切れたと接続先４が誤って認識するのを抑制することができる。
【００５６】
また、本実施形態では、接続先４が通話中であって、接続先電話番号２２４ａによって特定される接続先４との接続を確立できない場合には、ＣＰＵ１６を、赤外線通信部１３を介して「接続先は、ただ今通話中です」という通話中である旨の通知を携帯電話機２ａに対して送信するように構成すれば、接続先４との接続が確立しない状態を容易にユーザに認識させることができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記実施形態では、構内電話交換機の一例として、ゲートウェイ機器１を示すとともに、携帯端末の一例として、携帯電話機２ａ〜２ｄを示したが、本発明はこれに限られない。本発明では、構内電話交換機は、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅｘｃｈａｎｇｅ）などの他の構内電話交換機であってもよい。また、携帯端末は、接続先電話番号を送信可能に構成されていればよく、たとえば、通話機能を有さないＰＤＡ（Ｐｅｒｓｏｎａｌ  Ｄｉｇｉｔａｌ  Ａｓｓｉｓｔａｎｔ）などの他の携帯端末であってもよい。
【００５９】
また、上記実施形態では、携帯電話機が、赤外線通信部を介した無線通信により、接続先電話番号と携帯電話機が有する電話番号とをゲートウェイ機器１に送信した例に示したが、本発明はこれに限られない。本発明では、携帯電話機は、Ｂｌｕｅｔｏｏｔｈ（登録商標）などの赤外線以外の他の無線通信により、接続先電話番号と携帯電話機が有する電話番号とをゲートウェイ機器に送信してもよい。
【００６０】
また、上記実施形態では、携帯電話機２ａ〜２ｄとゲートウェイ機器１とを、携帯電話網５だけでなく外線電話網６およびＩＰ網７を介して電話通信可能なように接続した例を示したが、本発明はこれに限られない。本発明では、ゲートウェイ機器に携帯電話網での通話が可能な携帯電話通信部を設けることによって、外線電話網およびＩＰ網を介さずに、携帯電話網のみを介して携帯電話機とゲートウェイ機器とを電話通信可能なように接続してもよい。この際、ゲートウェイ機器が携帯電話網における電話交換機を兼ねることによって、構内でのみ使用可能な携帯電話網を構築してもよい。これにより、外部の携帯電話網を介して通話を行う場合と異なり、携帯電話網を用いた電話通信における通話料金の発生を抑制することが可能である。
【００６１】
また、上記実施形態では、ゲートウェイ機器１と固定電話機３ａ〜３ｄとを内線用回線を介して接続した例を示したが、本発明はこれに限られない。本発明では、ゲートウェイ機器と固定電話機とを外線用回線および外部電話網を介して接続してもよい。
【００６２】
また、上記実施形態では、ＲＯＭ１４に記憶された携帯電話機−固定電話機対応表１６ａを参照して、接続先電話番号が送信された携帯電話機に対応する固定電話機を抽出した例について説明したが、本発明はこれに限られない。本発明では、携帯電話機−固定電話機対応表を用いずに携帯電話機に対応する固定電話機を抽出してもよい。たとえば、携帯電話機に予め対応する固定電話機の内線番号を記憶させておき、携帯電話機を、携帯電話機が有する電話番号の代わりに記憶させておいた固定電話機の内線番号を送信するように構成する。これにより、ゲートウェイ機器は、携帯電話機と固定電話機との対応関係を参照せずに、携帯電話機から送信された固定電話機の内線番号を発信することが可能である。また、ゲートウェイ機器が、接続先電話番号が送信された携帯電話機の位置をＧＰＳなどにより認識することによって、携帯電話機に最も近い位置に存在する固定電話機を携帯電話機に対応する固定電話機として対応づけるように構成してもよい。
【００６３】
また、上記実施形態では、接続先４が通話中であって、接続先電話番号２２４ａによって特定される接続先４との接続を確立できない場合には、固定電話機３ａを鳴動させずに、通話中である旨の通知を携帯電話機２ａに対して送信するように構成した例を示したが、本発明はこれに限られない。本発明では、接続先との接続を確立できない場合に、固定電話機に設けられた表示部などに通話中である旨の通知を表示させてもよい。これにより、赤外線通信部を介して携帯電話機に通知を送信できない場合であっても、ユーザに通話中である旨を通知することが可能である。
【００６４】
また、上記実施形態では、ゲートウェイ機器１のＣＰＵ１６を、接続先４と接続が確立した際には、接続先４と接続を維持した状態で、携帯電話機２ａに対応する固定電話機３ａを抽出するとともに、抽出した固定電話機３ａの内線番号に発信するように構成した例を示したが、本発明はこれに限られない。本発明では、ゲートウェイ機器を、接続先と接続が確立した際には、接続先との接続を維持せずに一旦接続を解除するとともに、接続先からゲートウェイ機器に発信させて、接続先とゲートウェイ機器とを再度接続（コールバック）するように構成してもよい。これにより、ゲートウェイ機器が固定電話機（携帯電話機）と接続する際に要する時間が長くなることに起因して、接続先との接続を維持するための通話料金が増加するのを抑制することが可能である。
【符号の説明】
【００６５】
１  ゲートウェイ機器（構内電話交換機）
２ａ、２ｂ、２ｃ、２ｄ  携帯電話機（携帯端末）
３ａ、３ｂ、３ｃ、３ｄ  固定電話機
４  接続先
１１  アナログ通信部（第２通信部）
１２  ＩＰ通信部（第２通信部）
１３  赤外線通信部（第１通信部）
１４  ＲＯＭ（記憶部）
１６  ＣＰＵ（制御部）
１００  電話システム
２２４ａ  接続先電話番号（接続先特定情報）
【図１】
2012120000.tif 000003
【図２】
2012120000.tif 000004
【図３】
2012120000.tif 000005
【図４】
2012120000.tif 000006
【図５】
2012120000.tif 000007